【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
反転入力と、非反転入力と、出力とを有する増幅器と、
第１および第２の抵抗素子であって、各々は、第１および第２の端部を有し、該第１および第２の抵抗素子の第１の端部は、該増幅器の反転入力に電気的に連結され、該第１の抵抗素子の第２の端部は、該増幅器の出力に電気的に連結されている、第１および第２の抵抗素子と、
高インピーダンス入力と、出力とを有するバッファであって、該第２の抵抗素子の第２の端部は、該バッファの入力に電気的に連結されている、バッファと、
該増幅器の出力を該第２の抵抗素子の第２の端部に電気的に連結する少なくとも１つのダイオードと
を備えている、電位計。
【請求項２】
前記バッファの入力電圧への変化は、結果として該バッファの出力電圧への実質的に同等の変化を生じさせる、請求項１に記載の電位計。
【請求項３】
前記バッファは、反転入力と、非反転入力と、出力とを有する第２の増幅器であり、該第２の増幅器の出力は、該第２の増幅器の反転入力に電気的に連結され、該第２の増幅器の非反転入力は、該バッファの入力であり、該第２の増幅器の出力はバッファの該出力である、請求項１に記載の電位計。
【請求項４】
前記増幅器および前記バッファの出力に電気的に連結された計算ユニットをさらに備え、該計算ユニットは、前記第１および第２の抵抗素子の抵抗値と、該増幅器および該バッファの出力における電圧レベルとに基づいて、電流レベルを計算するように構成されている、請求項１に記載の電位計。
【請求項５】
前記第２の抵抗素子の抵抗は、前記第１の抵抗素子の抵抗よりも大きい、請求項１に記載の電位計。
【請求項６】
前記第１の抵抗素子は、１０メガオーム〜１００メガオームであり、前記第２の抵抗素子は、５ギガオーム〜５０ギガオームである、請求項５に記載の電位計。
【請求項７】
前記抵抗素子の抵抗間の比率は、１０よりも大きい、請求項５に記載の電位計。
【請求項８】
前記少なくとも１つのダイオードは、第１のダイオードと、第１の端部および第２の端部を有する低漏れおよび低静電容量の第２のダイオードとを備え、該第２のダイオードの第１の端部は、バッファの入力に電気的に連結され、該第２のダイオードの第２の端部は、該第１のダイオードに電気的に連結されている、請求項１に記載の電位計。
【請求項９】
前記第２のダイオードの第２の端部をグラウンドに電気的に連結する第３の抵抗素子をさらに備えている、請求項８に記載の電位計。
【請求項１０】
前記第１のダイオードは、小信号シリコンダイオードである、請求項８に記載の電位計。
【請求項１１】
コンデンサと、
入力および出力を有する調整可能利得増幅器であって、該調整可能利得増幅器の入力は、前記第２のダイオードの第２の端部に電気的に連結され、該調整可能利得増幅器の出力は、該コンデンサを介して該第２のダイオードの第１の端部に電気的に連結され、該調整可能利得増幅器は、該第２のダイオードにおける電荷とは反対の電荷を有するコンデンサを放電するように構成されている、調整可能利得増幅器と
をさらに備えている、請求項８に記載の電位計。
【請求項１２】
少なくとも前記第２のダイオード、前記増幅器、および前記バッファの温度を安定させるように構成された温度制御器をさらに備えている、請求項１に記載の電位計。
【請求項１３】
前記少なくとも１つのダイオードは、複数の対のダイオードを備え、各対は、並列に電気的に連結され、かつ逆極性で配置されている、請求項１に記載の電位計。
【請求項１４】
第１のアンチエイリアスフィルターおよび第２のアンチエイリアスフィルターであって、該第１のアンチエイリアスフィルターは、前記増幅器の出力に電気的に連結され、該第２のアンチエイリアスフィルターは、前記バッファの出力に電気的に連結されている、第１のアンチエイリアスフィルターおよび第２のアンチエイリアスフィルターと、
第１のアナログデジタル（Ａ／Ｄ）変換器および第２のＡ／Ｄ変換器であって、該第１のＡ／Ｄ変換器は、該第１のアンチエイリアスフィルターの出力に電気的に連結され、該第２のＡ／Ｄ変換器は、該第２のアンチエイリアスフィルターの出力に電気的に連結されている、第１のＡ／Ｄ変換器および第２のＡ／Ｄ変換器と
をさらに備えている、請求項１に記載の電位計。
【請求項１５】
電流を測定する方法であって、
増幅器の出力において第１の電圧を感知することと、
該第１の電圧が所定のレベル未満である場合に、該第１の電圧と、該増幅器の反転入力と該増幅器の出力との間に電気的に連結された第１の抵抗素子の抵抗とに基づいて電流を計算することと、
バッファの出力において第２の電圧を感知することと、
該増幅器から出力された電圧が該所定のレベルを超えた場合に、該第１および第２の電圧と、該第１の抵抗素子および第２の抵抗素子の抵抗とに基づいて電流を計算することとを包含し、該第２の抵抗素子は、該増幅器の反転入力と該バッファの入力との間に電気的に連結されている、方法。
【請求項１６】
前記バッファは、該バッファの入力電圧への変化が、結果として該バッファの出力電圧への実質的に同等の変化を生じさせるように構成される、請求項１５に記載の方法。
【請求項１７】
前記バッファの入力と前記増幅器の出力との間に電気的に連結された複数のダイオードのうちの少なくとも１つの順電圧の変化をサンプリングすることと、
該複数のダイオードのうちの該少なくとも１つの中に第１の電荷を注入することとをさらに包含し、該第１の電荷は、該複数のダイオードのうちの該少なくとも１つに関連する第２の電荷と反対である、請求項１５に記載の方法。
【請求項１８】
前記第１の電荷のレベルを調整することにより、前記複数のダイオードのうちの前記少なくとも１つに関連する第２の電荷に一致させることをさらに包含する、請求項１７に記載の方法。
【請求項１９】
前記電圧を感知することは、前記増幅器の出力に電気的に連結された第１のＡ／Ｄ変換器から出力された第１の電圧データを読み取ることと、前記バッファの出力に電気的に連結された第２のＡ／Ｄ変換器から出力された第２の電圧データを読み取ることとを包含する、請求項１５に記載の方法。
【請求項２０】
前記増幅器の反転入力にゼロ入力信号を印加することと、
前記第１のＡ／Ｄ変換器から第１の電圧データを読み取り、ゼロ入力電圧データを得ることとをさらに包含し、前記第１の抵抗素子の抵抗に基づいて電流を計算することは、該第１の電圧データと該ゼロ入力電圧データとの差を計算し、その結果を該第１の抵抗素子の抵抗で除すことにより、第１の電流データを得ることを包含する、請求項１９に記載の方法。
【請求項２１】
前記第２のＡ／Ｄ変換器から第２の電圧データを読み取り、第２のゼロ入力電圧データを得ることをさらに包含し、前記第１の抵抗素子および前記第２の抵抗素子の抵抗に基づいて電流を計算することは、該第２の電圧データと該第２のゼロ入力電圧データとの差を計算し、その結果を該第２の抵抗素子の抵抗で除すことにより第２の電流データを得、前記第１の電流データと該第２の電流データとを合計することを包含する、請求項２０に記載の方法。
【手続補正２】
【補正対象書類名】明細書
【補正対象項目名】００２６
【補正方法】変更
【補正の内容】
【００２６】
いくつかの実施形態において、方法はまた、増幅器の反転入力にゼロ入力信号を印加することと、第１のＡ／Ｄ変換器から第１の電圧データを読み取って、ゼロ入力電圧データを得ることとを含む。これらの実施形態において、第１の抵抗素子の抵抗に基づいて電流を計算することは、第１の電圧データとゼロ入力電圧データとの差を計算することと、その結果を第１の抵抗素子の抵抗で割って、第１の電流データを得ることとを含む。いくつかの実施形態において、方法はまた、第２のＡ／Ｄ変換器から第２の電圧データを読み取って、第２のゼロ入力電圧データを得ることを含む。これらの実施形態において、第１の抵抗素子および第２の抵抗素子の抵抗に基づいて電流を計算することは、第２の電圧データと第２のゼロ入力電圧データとの差を計算することと、その結果を第２の抵抗素子の抵抗で割って、第２の電流データを得ることと、第１の電流データと第２の電流データを合計することとを含む。
本願明細書は、例えば、以下の項目も提供する。
（項目１）
反転入力と、非反転入力と、出力とを有する増幅器と、
第１および第２の抵抗素子であって、各々は、第１および第２の端部を有し、該第１および第２の抵抗素子の第１の端部は、該増幅器の反転入力に電気的に連結され、該第１の抵抗素子の第２の端部は、該増幅器の出力に電気的に連結されている、第１および第２の抵抗素子と、
高インピーダンス入力と、出力とを有するバッファであって、該第２の抵抗素子の第２の端部は、該バッファの入力に電気的に連結されている、バッファと、
該増幅器の出力を該第２の抵抗素子の第２の端部に電気的に連結する少なくとも１つのダイオードと
を備えている、電位計。
（項目２）
前記バッファは、反転入力と、非反転入力と、出力とを有する第２の増幅器であり、該第２の増幅器の出力は、該第２の増幅器の反転入力に電気的に連結され、該第２の増幅器の非反転入力は、該バッファの入力であり、該第２の増幅器の出力はバッファの該出力である、項目１に記載の電位計。
（項目３）
前記増幅器および前記バッファの出力に電気的に連結された計算ユニットをさらに備え、該計算ユニットは、前記第１および第２の抵抗素子の抵抗値と、該増幅器および該バッファの出力における電圧レベルとに基づいて、電流レベルを計算するように構成されている、項目１に記載の電位計。
（項目４）
前記第２の抵抗素子の抵抗は、前記第１の抵抗素子の抵抗よりも大きい、項目１に記載の電位計。
（項目５）
前記第１の抵抗素子は、１０メガオーム〜１００メガオームであり、前記第２の抵抗素子は、５ギガオーム〜５０ギガオームである、項目４に記載の電位計。
（項目６）
前記抵抗素子の抵抗間の比率は、１０よりも大きい、項目４に記載の電位計。
（項目７）
前記少なくとも１つのダイオードは、第１のダイオードと、第１の端部および第２の端部を有する低漏れおよび低静電容量の第２のダイオードとを備え、該第２のダイオードの第１の端部は、バッファの入力に電気的に連結され、該第２のダイオードの第２の端部は、該第１のダイオードに電気的に連結されている、項目１に記載の電位計。
（項目８）
前記第２のダイオードの第２の端部をグラウンドに電気的に連結する第３の抵抗素子をさらに備えている、項目７に記載の電位計。
（項目９）
前記第１のダイオードは、小信号シリコンダイオードである、項目７に記載の電位計。
（項目１０）
コンデンサと、
入力および出力を有する調整可能利得増幅器であって、該調整可能利得増幅器の入力は、前記第２のダイオードの第２の端部に電気的に連結され、該調整可能利得増幅器の出力は、該コンデンサを介して該第２のダイオードの第１の端部に電気的に連結され、該調整可能利得増幅器は、該第２のダイオードにおける電荷とは反対の電荷を有するコンデンサを放電するように構成されている、調整可能利得増幅器と
をさらに備えている、項目７に記載の電位計。
（項目１１）
少なくとも前記第２のダイオード、前記増幅器、および前記バッファに連結された温度制御器をさらに備えている、項目１に記載の電位計。
（項目１２）
前記少なくとも１つのダイオードは、複数の対のダイオードを備え、各対は、並列に電気的に連結され、かつ逆極性で配置されている、項目１に記載の電位計。
（項目１３）
第１のアンチエイリアスフィルターおよび第２のアンチエイリアスフィルターであって、該第１のアンチエイリアスフィルターは、前記増幅器の出力に電気的に連結され、該第２のアンチエイリアスフィルターは、前記バッファの出力に電気的に連結されている、第１のアンチエイリアスフィルターおよび第２のアンチエイリアスフィルターと、
第１のアナログデジタル（Ａ／Ｄ）変換器および第２のＡ／Ｄ変換器であって、該第１のＡ／Ｄ変換器は、該第１のアンチエイリアスフィルターの出力に電気的に連結され、該第２のＡ／Ｄ変換器は、該第２のアンチエイリアスフィルターの出力に電気的に連結されている、第１のＡ／Ｄ変換器および第２のＡ／Ｄ変換器と
をさらに備えている、項目１に記載の電位計。
（項目１４）
電流を測定する方法であって、
増幅器の出力において第１の電圧を感知することと、
該第１の電圧が所定のレベル未満である場合に、該第１の電圧と、該増幅器の反転入力と該増幅器の出力との間に電気的に連結された第１の抵抗素子の抵抗とに基づいて電流を計算することと、
バッファの出力において第２の電圧を感知することと、
該増幅器から出力された電圧が該所定のレベルを超えた場合に、該第１および第２の電圧と、該第１の抵抗素子および第２の抵抗素子の抵抗とに基づいて電流を計算することとを包含し、該第２の抵抗素子は、該増幅器の反転入力と該バッファの入力との間に電気的に連結されている、方法。
（項目１５）
前記バッファの入力と前記増幅器の出力との間に電気的に連結された複数のダイオードのうちの少なくとも１つの順電圧の変化をサンプリングすることと、
該複数のダイオードのうちの該少なくとも１つの中に第１の電荷を注入することをさらに包含し、該第１の電荷は、該複数のダイオードのうちの該少なくとも１つに関連する第２の電荷と反対である、項目１４に記載の方法。
（項目１６）
前記第１の電荷のレベルを調整することにより、前記複数のダイオードのうちの前記少なくとも１つに関連する第２の電荷に一致させることをさらに包含する、項目１５に記載の方法。
（項目１７）
前記電圧を感知することは、前記増幅器の前記出力に電気的に連結された第１のＡ／Ｄ変換器から出力された第１の電圧データを読み取ることと、前記バッファの前記出力に電気的に連結された第２のＡ／Ｄ変換器から出力された第２の電圧データを読み取ることとを包含する、項目１４に記載の方法。
（項目１８）
前記増幅器の反転入力にゼロ入力信号を印加することと、
前記第１のＡ／Ｄ変換器から第１の電圧データを読み取り、ゼロ入力電圧データを得ることとをさらに包含し、前記第１の抵抗素子の抵抗に基づいて電流を計算することは、該第１の電圧データと該ゼロ入力電圧データとの差を計算し、その結果を該第１の抵抗素子の抵抗で除すことにより、第１の電流データを得ることを包含する、項目１７に記載の方法。
（項目１９）
前記第２のＡ／Ｄ変換器から第２の電圧データを読み取り、第２のゼロ入力電圧データを得ることをさらに包含し、前記第１の抵抗素子および第２の抵抗素子の抵抗に基づいて電流を計算することは、該第２の電圧データと該第２のゼロ入力電圧データとの差を計算し、その結果を該第２の抵抗素子の抵抗で除すことにより第２の電流データを得、前記第１の電流データと該第２の電流データとを合計することを包含する、項目１８に記載の方法。